(57)【要約】【課題】  ディジタル複合装置などのプリンタ装置等に記憶されているプリントジョブの中から所望のプリントジョブやプリントページを選択して１つのプリントジョブとしてプリントする。【解決手段】  ディジタル複合装置２０の画像メモリ８はＬＡＮ７０等のネットワークを介して受信し又は自装置で発生した複数のプリントジョブを所定の指示があるまでプリンタに出力しないで記憶する。操作部５のタッチ液晶パネル部５ａはネットワークを介して受信した指示又は自装置で入力した指示に基づいて、上記記憶されたプリントジョブから任意のプリントジョブを選択し又は上記プリントジョブ中の任意のプリントページを選択する。そして、主制御部１は、上記選択されたプリントジョブ又はプリントページを１つのプリントジョブに合成してプリンタ３に連続して出力するように制御する。【選択図】図４
2005074833.tif 000002
【特許請求の範囲】
【請求項１】
ネットワークを介して受信し又は自装置で発生した複数のプリントジョブを所定の指示があるまでプリンタに出力しないで記憶する記憶手段と、
上記ネットワークを介して受信した指示又は自装置で入力した指示に基づいて、上記記憶されたプリントジョブから任意のプリントジョブを選択し又は上記プリントジョブ中の任意のプリントページを選択する選択手段と、
上記選択されたプリントジョブ又はプリントページを１つのプリントジョブに合成してプリンタに連続して出力するように制御する制御手段とを備えたことを特徴とするネットワークプリンタ装置。
【請求項２】
上記連続して出力されるプリントジョブに含まれる各プリントジョブに対してそれぞれ所定の処理を行う処理手段をさらに備えたことを特徴とする請求項１記載のネットワークプリンタ装置。
【請求項３】
上記所定の処理を各プリントジョブ単位で指定する第１の指定手段をさらに備えたことを特徴とする請求項２記載のネットワークプリンタ装置。
【請求項４】
上記所定の処理を上記連続して出力されるプリントジョブ全体に対して指定する第２の指定手段をさらに備えたことを特徴とする請求項２記載のネットワークプリンタ装置。
【請求項５】
上記ネットワークを介して受信した指示は、情報処理装置内のプリンタドライバからの指示であることを特徴とする請求項１乃至４のうちのいずれか１つに記載のネットワークプリンタ装置。
【発明の詳細な説明】
【技術分野】
【０００１】
本発明は、例えばローカルエリアネットワーク（以下、ＬＡＮという。）などのネットワークに接続された、ディジタル複合装置などのネットワークプリンタ装置に関し、特に、パーソナルコンピュータなどの情報処理装置から受信した画像データ、ディジタル複合装置内のファクシミリ装置部で受信した画像データ、ディジタル複合装置のスキャナにより読み取った画像データなどを含む画像データをプリントするネットワークプリンタ装置に関する。
【背景技術】
【０００２】
コピー、プリンタ及びスキャナ機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のスキャナは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
また、例えば、特許文献１において、なるべく同じ外部端末からの記録要求を連続して記録出力するために、以下の記録装置が提案されている。すなわち、コンピュータからＬＡＮインターフェースを介して記録すべき情報を受け取り、そのときに後続する記録すべき情報を連続して記録する指示が行われていたとする。その情報の記録開始後、次のコンピュータからの情報より前に、例えばコンピュータから記録すべき情報を受け取った場合、コンピュータからの情報は画像メモリあるいはＲＡＭに格納しておき、その後にコンピュータから送られてくる記録すべき情報を優先して記録出力する。これによって、記録部から排出される用紙の束に、異なる外部端末からの情報を記録した用紙がなるべく挟まらないようにすることができる。
【０００４】
【特許文献１】特開２００２−２６４４４３号公報。
【発明の開示】
【発明が解決しようとする課題】
【０００５】
しかしながら、ディジタル複合装置に記憶されているプリントジョブの中から所望のプリントジョブやプリントページを選択して１つのプリントジョブとしてプリントすることはできなかった。
【０００６】
本発明の目的は以上の問題点を解決し、ディジタル複合装置などのプリンタ装置等に記憶されているプリントジョブの中から所望のプリントジョブやプリントページを選択して１つのプリントジョブとしてプリントすることができるネットワークプリンタ装置を提供することにある。
【課題を解決するための手段】
【０００７】
本発明に係るネットワークプリンタ装置は、ネットワークを介して受信し又は自装置で発生した複数のプリントジョブを所定の指示があるまでプリンタに出力しないで記憶する記憶手段と、
上記ネットワークを介して受信した指示又は自装置で入力した指示に基づいて、上記記憶されたプリントジョブから任意のプリントジョブを選択し又は上記プリントジョブ中の任意のプリントページを選択する選択手段と、
上記選択されたプリントジョブ又はプリントページを１つのプリントジョブに合成してプリンタに連続して出力するように制御する制御手段とを備えたことを特徴とする。
【０００８】
上記ネットワークプリンタ装置において、上記連続して出力されるプリントジョブに含まれる各プリントジョブに対してそれぞれ所定の処理を行う処理手段をさらに備えたことを特徴とする。
【０００９】
ここで、上記所定の処理を各プリントジョブ単位で指定する第１の指定手段をさらに備えたことを特徴とする。もしくは、上記所定の処理を上記連続して出力されるプリントジョブ全体に対して指定する第２の指定手段をさらに備えたことを特徴とする。
【００１０】
さらに、上記ネットワークプリンタ装置において、上記ネットワークを介して受信した指示は、情報処理装置内のプリンタドライバからの指示であることを特徴とする。
【発明の効果】
【００１１】
従って、本発明に係るネットワークプリンタ装置によれば、ネットワークを介して受信し又は自装置で発生した複数のプリントジョブを所定の指示があるまでプリンタに出力しないで記憶する記憶手段と、上記ネットワークを介して受信した指示又は自装置で入力した指示に基づいて、上記記憶されたプリントジョブから任意のプリントジョブを選択し又は上記プリントジョブ中の任意のプリントページを選択する選択手段と、上記選択されたプリントジョブ又はプリントページを１つのプリントジョブに合成してプリンタに連続して出力するように制御する制御手段とを備える。それ故、ディジタル複合装置などのプリンタ装置等に記憶されているプリントジョブの中から所望のプリントジョブやプリントページを選択して１つのプリントジョブとして優先してプリントすることができる。
【００１２】
上記ネットワークプリンタ装置において、上記連続して出力されるプリントジョブに含まれる各プリントジョブに対してそれぞれ所定の処理を行う処理手段をさらに備える。ここで、上記所定の処理を各プリントジョブ単位で指定する第１の指定手段をさらに備え、もしくは、上記所定の処理を上記連続して出力されるプリントジョブ全体に対して指定する第２の指定手段をさらに備える。従って、例えば、区切り用紙挿入、排出トレイ指定、シフトトレイ、パンチ指定、画面印字、印刷時刻指定、ステイプル指定などの所定の処理を各プリントジョブに対して、もしくは上記連続して出力されるプリントジョブ全体に対して指定して実行することができる。
【００１３】
さらに、上記ネットワークプリンタ装置において、上記ネットワークを介して受信した指示は、情報処理装置内のプリンタドライバからの指示である。従って、パーソナルコンピュータなどの情報処理装置にインストールされたプリンタドライバを用いて上記選択手段の処理を遠隔で指示できる。
【発明を実施するための最良の形態】
【００１４】
以下、図面を参照して本発明に係る実施形態について説明する。
【００１５】
図１は本発明に係る実施形態である、コピー、プリンタ及びスキャナ機能付きのファクシミリ装置であるディジタル複合装置２０を備えたＬＡＮシステムの構成を示すブロック図であり、図２は図１のクライアントパーソナルコンピュータ３０の構成を示すブロック図であり、図３は図１のディジタル複合装置２０の構成を示すブロック図である。
【００１６】
この実施形態に係るＬＡＮシステムは、図１に示すように、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。情報処理装置である各クライアントパーソナルコンピュータ３０（図２参照。）からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナ及びファクシミリの各機能を共通に利用することができるように構成されている。
【００１７】
図３のディジタル複合装置２０内のプリンタ３は、以下の画像データ又は文字データに対するプリントジョブ２００のプリント処理を実行する。
（ａ）ファックスモデム１０により受信されて画像メモリ８内のプリンタジョブ用データ領域８ａに格納された画像データに関するプリントジョブ：受信原稿のプリントであり、そのジョブはＲＡＭ７内のプリンタジョブ管理テーブル７ａにおいて受信原稿プリントキュー２０１（図５参照。）として管理される。
（ｂ）各クライアントパーソナルコンピュータ３０においてワープロソフトや表計算ソフト、その他の画像生成ソフトにより作成された画像データ又は文字データをＬＡＮ７０を介して受信して画像メモリ８内のプリンタジョブ用データ領域８ａに格納された画像データ又は文字データに関するプリントジョブ：ＰＣにより作成されたプリント処理であり、そのジョブはＲＡＭ７内のプリンタジョブ管理テーブル７ａにおいてＰＣプリントキュー２０２（図５参照。）として管理される。
（ｃ）ディジタル複合装置２０のスキャナ２などの自装置で作成されて画像メモリ８内のプリンタジョブ用データ領域８ａに格納された画像データなどに関するプリントジョブ：例えば読み取り原稿のプリントであり、そのジョブはＲＡＭ７内のプリンタジョブ管理テーブル７ａにおいてリストプリントキュー２０３（図５参照。）として管理される。
（ｄ）ディジタル複合装置２０のタッチ液晶パネル部５ａ又は各クライアントパーソナルコンピュータ３０のプリンタドライバメモリ領域１０８ａに記憶されたプリンタドライバを用いて実行される「連続プリントジョブ処理」により上記３種類のプリントキュー２０１，２０２，２０３から所望のプリントジョブ又はプリントページを指定することにより連続してプリントする１つのプリントジョブ２０５又は２０６として合成してまとめて指定し、そのジョブはＲＡＭ７内のプリンタジョブ管理テーブル７ａにおいて連続プリントキュー２０４（図５参照。）として管理される。
【００１８】
本実施形態においては、連続プリントキュー２０４における「連続プリントジョブ」があるときは（図４のステップＳ５及びＳ６でＹＥＳ）合成されたプリントジョブ２０５又は２０６に含まれるプリントジョブ又はプリントページを連続して優先的にプリンタ３に出力してプリントする（ステップＳ７からステップＳ４）ことを特徴としている。ここで、上記連続して出力されるプリントジョブに含まれる各プリントジョブに対してそれぞれ例えば図６に示すように、区切り用紙挿入、排出トレイ指定、シフトトレイ、パンチ指定、画面印字、印刷時刻指定、ステイプル指定などの所定の処理を実行し、当該処理は図６に示すように各プリントジョブ単位で指定し、もしくは、上記所定の処理を上記連続して出力されるプリントジョブ全体に対して指定することができる。
【００１９】
次いで、図２を参照してクライアントパーソナルコンピュータ３０の構成及び動作について以下に説明する。
【００２０】
図２において、クライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナにより走査された画像データを受信する外部端末装置や、クライアントパーソナルコンピュータ３０で生成された原稿画像のデータ（例えば、ワードプロセッサのソフトウェアで作成された原稿の文字データや画像データをいう。）をディジタル複合装置２０のプリンタ３でプリントし、もしくは、ディジタル複合装置２０を介して相手先のファクシミリ装置又はディジタル複合装置にファクシミリ送信する情報処理装置として用いられる。
【００２１】
主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、スキャナ及びプリンタ（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力し、また、操作部１０５はマウス１０５ａを備え、表示部１０４上でクリックすることにより所定の指示を入力する。
【００２２】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、以下のメモリ領域を含む。
（ａ）プログラムメモリ領域１０８ａ：実行するアプリケーションプログラムやプリンタ３を制御するためのプリンタドライバ１０８ａのプログラムなどを格納するメモリ領域である。
【００２３】
以上のように構成されたクライアントパーソナルコンピュータ３０において、クライアントパーソナルコンピュータ３０の主制御部１０１は、ディジタル複合装置２０のスキャナ２により走査されて変換された後プリンタジョブ用データ領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。また、主制御部１０１は、画像データをディジタル複合装置２０を介して、例えばディジタル複合装置やファクシミリ装置などの受信側通信端末装置に送信し又はディジタル複合装置２０のプリンタ３でプリントするとき、ＬＡＮ７０を介してディジタル複合装置２０に転送送信する。
【００２４】
次いで、図３を参照してディジタル複合装置２０の構成及び動作について以下に説明する。
【００２５】
図３において、ディジタル複合装置２０は、従来のＧ３方式等のファクシミリ通信機能に加えて、コピー、プリンタ、及びスキャナの各機能を備えている。主制御部１は具体的にはＣＰＵで構成されており、バス１３を介して以下のハードウェア各部と接続されていてそれらを制御するほか、後述する種々のソフトウェアの機能を実行する。スキャナ２は、ＣＣＤ等を利用したスキャナで原稿を読み取り、白黒２値に変換したドット画像データを出力する。プリンタ３は例えば電子写真方式等のプリンタ装置であり、スキャナ２により走査されて変換された画像データや他のファクシミリ装置からファクシミリ通信により受信した画像データをハードコピーとしてプリントアウトして記録したり、文字データを記録する。
【００２６】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。また、操作部５は、表示部４上をタッチパネル方式とするタッチ液晶パネル部５ａを備え、当該タッチ液晶パネル部５ａ上をユーザの指でタッチすることにより所定の指示を入力する。
【００２７】
ＲＯＭ６は、当該ディジタル複合装置２０の動作に必要であって主制御部１によって実行される種々のソフトウェアのプログラムを予め格納し、本実施形態では、少なくとも、図４のプリントジョブ制御処理のプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。ここで、ＲＡＭ７は、以下のテーブルを格納する。
（ａ）プリンタジョブ管理テーブル７ａ：プリンタ３のプリントジョブ２００を管理するためのテーブルであって、図５に示すように、３つ又は４つのプリントキュー２０１乃至２０４２分割してプリントジョブ２００を管理する。また、当該テーブル７ａはまた、画像メモリ８内のプリンタジョブ用データ領域８ａを管理し、ＬＡＮ７０に接続されたクライアントパーソナルコンピュータ３０又はそのユーザに対応して付与されるメモリボックス番号と、画像メモリ８における画像データの格納アドレスなどを格納する。
【００２８】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたプリンタジョブ用データ領域８ａを備える。各クライアントパーソナルコンピュータ３０は対応するメモリボックスに、ファクシミリ機能により送受信される画像データ、もしくは、スキャナ機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２９】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００３０】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００３１】
以上のように構成されたディジタル複合装置２０のファクシミリ通信機能において、各クライアントパーソナルコンピュータ３０−１乃至３０−Ｎから転送されたドット画像データ、又はスキャナ２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、プリンタジョブ管理テーブル８ａの管理のもとで必要に応じてプリンタ３でプリントされる。
【００３２】
図４は図３のディジタル複合装置２０の主制御部１によって実行されるプリントジョブ制御処理を示すフローチャートである。
【００３３】
図４のステップＳ１で、まず、プリントジョブがあるか否かが判断され、ＹＥＳとなるまで待機し、ＹＥＳとなったときに、ステップＳ２においてプリンタ３は使用可能か否かが判断され、ＹＥＳのときにステップＳ３に進む。ステップＳ３では、プリンタ３のジョブ制御を確保し、ステップＳ４で上記プリントジョブのプリント処理を実行する。そして、ステップＳ５で連続プリントジョブであるか否かが判断され、ＹＥＳであればステップＳ６に進む一方、ＮＯであればステップＳ８に進む。ステップＳ６では、次の連続プリントジョブがあるか否かが判断され、ＹＥＳのときはステップＳ７に進む一方、ＮＯのときはステップＳ６に進む。ステップＳ７で、次のプリントジョブを準備し、ここで、具体的には、格納している画像データをビットマップデータに展開するなどの処理を実行した後、ステップＳ４に戻りプリント処理を実行する。一方、ステップＳ８では、プリンタ３のジョブ制御を開放した後、ステップＳ１でのプリントジョブの待機状態に戻る。
【００３４】
図５（ａ）はディジタル複合装置２０における現在のプリントジョブ２００中のジョブの内容を示す模式図であり、図５（ｂ）図５（ａ）において所望のいくつかのプリントジョブを選択して連続プリント指定したとき後のプリントジョブ２００中のジョブの内容を示す模式図である。図５（ａ）に示すように、プリントジョブ２００が受信原稿プリントキュー２０１と、ＰＣプリントキュー２０２と、リストプリントキュー２０３の３つのプリントキューあるときに、図上でハッチングで示すジョブを連続プリントジョブとして指定したとき、図５（ｂ）に示すように、プリントジョブ２００に新たに連続プリントキュー２０４が作成され、上記指定された２つのグループ毎に連続プリントジョブのグループ２０５，２０６が生成される。これらの連続プリントジョブの各ジョブは、プリンタ３に対して連続して他のジョブが割り込むことなく出力されてプリント処理が実行される。
【００３５】
図６（ａ）は図３のディジタル複合装置２０の表示部４におけるプリントジョブ制御画面３０１の一例を示す正面図である。図６（ａ）において操作部５のタッチ液晶パネル部５ａ上で連続プリントしたいジョブを選択的に指定した後（指定したジョブをハッチングで示している）、「連続設定」を指示したときに図６（ｂ）に示すように種々のプリントオプション処理が画面３０２において表示される。画面３０２において所望の設定や指定を行うことにより、当該連続プリントジョブに対して、図６（ｂ）に示すような、区切り用紙挿入、排出トレイ指定、シフトトレイ、パンチ指定、画面印字、印刷時刻指定、ステイプル指定などの所定の処理を指定して実行できる。
【００３６】
図７（ａ）は図３のディジタル複合装置２０の表示部４におけるプリントジョブ制御画面４０１の一例を示す正面図である。図７（ａ）の画面４０１において操作部５のタッチ液晶パネル部５ａ上で連続プリントしたいジョブを選択的に指定した後（指定したジョブをハッチングで示している）、「詳細」を指示したときに図７（ｂ）に示すように、現在の各プリントジョブのページ構成を表示できる。このとき、各プリントジョブにおいて、連続プリントジョブとしたいページを指定することにより、これらをまとめて１つの連続プリントジョブとして合成することができ、当該連続プリントジョブの各ページのプリント処理は、プリンタ３に対して連続して他のジョブが割り込むことなく出力されてプリント処理が実行される。
【００３７】
上記の図６及び図７の実施形態の説明では、ディジタル複合装置２０の表示部４及び操作部５のタッチ液晶パネル部５ａを用いて連続ジョブプリントのジョブ又はページの指定を行っているが、本発明はこれに限らず、図６や図７の画面をクライアントパーソナルコンピュータ３０の表示部１０４でのプリンタドライバによる表示画面とし、操作部１０５のマウス１０５ａを用いて上述の指示をすることにより、当該プリントドライバがＬＡＮ７０を介してディジタル複合装置２０内のプリンタ３を制御するようにしてもよい。
【産業上の利用可能性】
【００３８】
本発明に係るネットワークプリンタ装置によれば、ネットワークを介して受信し又は自装置で発生した複数のプリントジョブを所定の指示があるまでプリンタに出力しないで記憶し、上記ネットワークを介して受信した指示又は自装置で入力した指示に基づいて、上記記憶されたプリントジョブから任意のプリントジョブを選択し又は上記プリントジョブ中の任意のプリントページを選択し、上記選択されたプリントジョブ又はプリントページを１つのプリントジョブに合成してプリンタに連続して出力するように制御したので、ディジタル複合装置などのプリンタ装置等に記憶されているプリントジョブの中から所望のプリントジョブやプリントページを選択して１つのプリントジョブとして優先してプリントすることができる。
【図面の簡単な説明】
【００３９】
【図１】本発明に係る実施形態である、コピー、プリンタ及びスキャナ機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図３のディジタル複合装置２０の主制御部１によって実行されるプリントジョブ制御処理を示すフローチャートである。
【図５】（ａ）はディジタル複合装置２０における現在のプリントジョブ２００中のジョブの内容を示す模式図であり、（ｂ）上記（ａ）において所望のいくつかのプリントジョブを選択して連続プリント指定したとき後のプリントジョブ２００中のジョブの内容を示す模式図である。
【図６】（ａ）は図３のディジタル複合装置２０の表示部４におけるプリントジョブ制御画面３０１の一例を示す正面図であり、（ｂ）は上記（ａ）の画面３０１においてタッチ液晶パネル部５ａ上の操作によるプリントジョブの選択を実行したときに「連続設定」をしたときに表示される種々のプリントオプション処理を示す画面３０２の一例を示す正面図である。
【図７】（ａ）は図３のディジタル複合装置２０の表示部４におけるプリントジョブ制御画面４０１の一例を示す正面図であり、（ｂ）は上記（ａ）の画面４０１においてタッチ液晶パネル部５ａを用いて「詳細」処理を実行したときに表示される各プリントジョブの中身の詳細を示す画面４０２の一例を示す正面図であり、（ｃ）は上記（ｂ）の画面４０２の各プリントジョブに対して「連続プリント」を指定して再構成したときの画面４０３の一例を示す正面図である。
【符号の説明】
【００４０】
１…主制御部、
２…スキャナ、
３…プリンタ、
４…表示部、
５…操作部、
５ａ…タッチ液晶パネル部、
６…ＲＯＭ、
７…ＲＡＭ、
７ａ…プリンタジョブ管理テーブル、
８…画像メモリ、
８ａ…プリンタジョブ用データ領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０５ａ…マウス、
１０６…ＲＯＭ、
１０７…ＲＡＭ、
１０８…ハードディスクドライブ、
１０８ａ…プログラムメモリ領域、
１１２…ＬＡＮインターフェース、
１１３…バス。
【図１】
2005074833.tif 000003
【図２】
2005074833.tif 000004
【図３】
2005074833.tif 000005
【図４】
2005074833.tif 000006
【図５】
2005074833.tif 000007
【図６】
2005074833.tif 000008
【図７】
2005074833.tif 000009